(57)【要約】【課題】捕獲された野生動物肉を食肉として利用するに当たっての血抜きを、比較的簡単に、効率良く行うことができる装置の提供。【解決手段】装着背負型の血液収納タンク１と同タンクに着脱自在に装着される加圧空気タンク２と一方端は前記血液収納タンク１の血液流入口に連通し、他端は動物Ｗの体内に挿入される尖端部に通じる血液搬送管３と、一方端は前記加圧空気タンク２と連通し、他端は動物の体内に挿入される尖端部８に通じる加圧空気搬送管４とを有する。【選択図】図２
0003202579.tif 000002
【実用新案登録請求の範囲】
【請求項１】
頂部には、抜き取った血液を流下する蓋付き血液流入口と、下端には、収納した血液を流下する収納血液排出口とが設けられた装着背負型の血液収納タンクと、
同タンクに着脱自在に装着される加圧空気タンクと、
一方端は前記血液収納タンクの血液流入口に連通し、他端は動物の体内に挿入される尖端部に通じる血液搬送管と、
一方端は前記加圧空気タンクと連通し、他端は動物の体内に挿入される尖端部に通じる加圧空気搬送管とを有する捕獲動物の血抜き装置。
【請求項２】
操作員のベルト、あるいは、支持躯体に取り付けた操作板を操作して吸引ポンプを作動して、加圧空気搬送管から加圧空気を導入しながら血液搬送管から血液収納タンクに血液を収納する請求項１に記載の捕獲動物の血抜き装置。
【考案の詳細な説明】
【技術分野】
【０００１】
この考案は、猪、鹿、狸などの捕獲した野生動物の肉を食肉とするための血抜き装置に関する。
【背景技術】
【０００２】
近年、猪などの野生動物の里山などの畑、民家への侵入による被害は増大し、音、光などの単なる駆逐手段では対応しきれず、捕獲罠により捕獲、それも、捕獲檻が広く用いられるようになった。
【０００３】
そして、捕獲後の後処理は、屠殺後、多くは、地中に埋めて廃棄することであった。  その廃棄手段は、猪の場合、屠殺した血の匂いによって猪を集めることになり、捕獲が新たに猪を呼ぶという悪循環を招くことにもなっている。
【０００４】
近年、猪その他の野生動物の肉が食肉源としての利用用途が注目されるようになり、この食肉としての利用によって捕獲量の多くが廃棄されなくなり、その食肉としての野生動物の中の害獣の捕獲量の増大により、畑の被害の減少とともに、屠殺廃棄量の減少によって山林の不衛生化の防止効果をもたらすことが期待される。
【０００５】
この野生動物の食肉としての利用のためには、血抜きが必須である。通常、家畜を食肉するための血抜きは、頭部が下になるように吊り下げて頸動脈を切断し血抜きを行っている。
【０００６】
しかし、野生動物の場合、家畜動物と異なり、捕獲した動物は檻の中で暴れ回り、血抜き作業が困難で、手間を要し、且つ、周辺への血しぶきによって不衛生となる。
【先行技術文献】
【特許文献】
【０００７】
【特許文献１】実用新案登録第３１６５０５４号
【考案の概要】
【考案が解決しようとする課題】
【０００８】
この考案の目的は、捕獲された野生動物肉を食肉として利用するに当たっての血抜きを、比較的簡単に、効率良く行うことができる装置の提供にある。
【課題を解決するための手段】
【０００９】
この考案に係る捕獲動物の血抜き装置は、基本構成を示す図１のように、頂部には、抜き取った血液を流下する蓋付き血液流入口と、下端には、収納した血液を流下する収納血液排出口とが設けられた装着背負型の血液収納タンク１と、同タンクに着脱自在に装着される加圧空気タンク２と、一方端は前記血液収納タンク１の血液流入口に連通し、他端は動物Ｗの体内に挿入される尖端部に通じる血液搬送管３と、一方端は前記加圧空気タンク２と連通し、他端は動物の体内に挿入される尖端部に通じる加圧空気搬送管４とを有する。
【００１０】
そして、操作員のベルト、あるいは、支持躯体に取り付けた操作板７を操作して吸引ポンプを作動して、加圧空気搬送管４から加圧空気を導入しながら血液搬送管３から、血液収納タンク１に血液を収納する。
【考案の効果】
【００１１】
この考案は、捕獲された野生動物の頸動脈のような血流が集中した箇所に差し込んだ管体の尖端から動物体内血液を吸収して、血液搬送管を経て血液収納タンクに収納するため、血液を飛散させることなく動物内の血液を簡単に、且つ、衛生的に抜き取ることができ、食肉に供することができる。
【図面の簡単な説明】
【００１２】
【図１】この考案に係る血抜き装置の機能の概略を示す図である。
【図２】この考案に係る血抜き装置の装着後の作動前の状態を示す。
【図３】管尖端を示す図である。
【考案を実施するための形態】
【００１３】
この考案の血抜き装置は、捕獲動物ができるだけ静止状態で作動させることが、尖端部を頸動脈に挿入するには都合が良い。そのため、麻酔銃、電気ショック等により捕獲した動物を麻痺させて、この考案の血抜き装置を作動させることも可能であるが、先の先行文献に記載のとおり、捕獲後、捕獲檻の格子状の壁面を可動型とした檻を使用するのがよい。この壁面が可動型の檻を使用することによって、捕獲した動物の脚部を格子に落とし込み、壁面を動かして、捕獲動物の頭部を下にして押さえ込んだ状態にすることができる。
【実施例】
【００１４】
図２は、図１に示すこの考案の基本構成を装着背負型とし、先の特許文献に記載の捕獲檻に頭部を下げた状態で捕獲した猪Ｗに対し、この考案の血抜き装置を適用した状態を示す。
【００１５】
この捕獲檻Ａは、前後上下左右八面が、それぞれが、取り外し、組み立て自在の金網ネット枠から形成されている。そして、その底面部ｂのみが上面ａに対し、上面の前後に取り付けられた巻き上げワイヤｃ、ｄの中の後方ｄのみを巻き上げると、捕獲された猪Ｗの脚部は底ネットの格子内に脚を突っ込み、さらに、上面のネットａに押し付けられた状態となる。この状態で、前方面のネット枠材ｅを持ち上げ開放し、この考案の血抜き装置１０を用いて血抜き作業を行う、
【００１６】
同図２には、この考案の血抜き装置１０を、背負型にして作業員Ｍが背負った状態で示されている。
【００１７】
血液収納タンク１の頂部には、体内に挿入された尖端部で抜き取った血液を血液搬送管３によって搬送された血液を投入する血液投入口１１が設けられ、円滑な容器内面から収納した血液を流下する調整弁付き収納血液排出口１２とが設けられている。また、５はタンクの側面に取り付けられた血液搬送管３の減圧装置のモーターを示す。７は、操作員の腰に取り付けられた各可動部分の調整のための操作板を示す。血液タンクの内面は、ステンレス製、陶器製の漏斗形をなし、底部には血液を排出するためのプラグ付きとする。
【００１８】
血液収納タンク１に着脱自在に装着される加圧空気タンク２から空気は、加圧空気搬送管４を経て捕獲猪の体内に強制的に圧入されて、血液の圧力を高め、体内からの血液の流出を助ける。
【００１９】
血液搬送管３と加圧空気搬送管４は尖端部に至る途中で、二重管からなる管体６を形成し、作業員によって両搬送管を支持する。この管体６の先端には、捕獲動物Ｗに差し込んで血液を吸引するための尖端部８が形成されている。
【００２０】
図３は、この尖端部８は、硬質金属から形成された血液搬送管３と加圧空気搬送管４との二重管から形成し、基端には管体の端部と連結するための連結部８１を、先端には鋭角に形成した挿入端部８２を設けている。
【００２１】
かかる構成を有する捕獲動物の血抜き装置は、操作機能を概念的に示す図１に示されているように、捕獲された動物Ｗに加圧空気タンク２からの加圧空気を加圧空気搬送管４を経て捕獲動物の血脈中に圧入しつつ、  捕獲動物体内に挿入された血液搬送管３から吸い出された血液を血液タンクに収納するものである。
【産業上の利用可能性】
【００２２】
本考案の採決装置によって採決できる血液量は、捕獲動物が猪の場合、体重の２０％以上にも及び、そのほぼ全量を本願の装置の貯蔵タンク内に収納でき、捕獲した猪の血液を簡単に取り出し、粉末状、ペレット状に形成し、純粋の血液剤としての利用も可能となる。
【符号の説明】
【００２３】
血液収納タンク１
血液投入口１１
収納血液排出口１２
加圧空気タンク２
開口調整弁２１
血液搬送管３
加圧空気搬送管４
減圧モーター５
管体６
操作板７
尖端部８
連結部８１
挿入端部８２
血抜き装置１０
捕獲檻Ａ
上面ネットａ
底面部ｂ
巻き上げワイヤｃ、ｄ
ネット枠材e
作業員Ｍ
動物Ｗ
【図１】
0003202579.tif 000003
【図２】
0003202579.tif 000004
【図３】
0003202579.tif 000005